(57)【特許請求の範囲】
【請求項１】
大剣部（１）の裏面に該大剣部（１）の長尺方向に対し直交方向に伸びるタグプレートで構成した小剣通し（３）を有するネクタイ留めのいらないネクタイであって、上記大剣部（１）の裏面の下端部中央、且つ、上記小剣通し（３）の下位に該大剣部（１）の長尺方向又は直交方向に伸びる小剣差込口（４）を設ける一方、ボタンホールを設けていないことを特徴としたネクタイ留めのいらないネクタイ。
【請求項２】
上記小剣差込口（４）は上記大剣部（１）の裏面に両側を固定したタグプレートにより形成する請求項１記載のネクタイ留めのいらないネクタイ。
【請求項３】
上記小剣差込口（４）は上記大剣部（１）の裏面の中央合わせ目に沿って開口して形成するか又は該中央合わせ目に直交方向に開口する請求項１記載のネクタイ留めのいらないネクタイ。
【請求項４】
上記の小剣差込口（４）は開口の縁部を軟性樹脂や合成ゴムで融着又はプリントして補強した請求項３記載のネクタイ留めのいらないネクタイ。
【発明の詳細な説明】
【技術分野】
【０００１】  この発明は、ネクタイ留めを不要にしたネクタイに関するものである。
【背景技術】
【０００２】  従来、ネクタイは付属品としてネクタイ留めを使用していた。
【先行技術文献】
【特許文献】
【０００３】
【特許文献１】特許公開２００３−２６５２０４
【特許文献２】特許公開２００７−２３１４９５
【発明の概要】
【発明が解決しようとする課題】
【０００４】  ネクタイ留めを使用して固定していたが、次のような欠点があった。
１  ネクタイ留めは保管が必要で、時には何処に置いたか忘れたりしていた。
２  外れて落ちたり、気付かずに落ちて紛失したりした。
３  毎日着用する制服用のネクタイを常用する者にはネクタイ留めを付属品として使用する事はわずらわしかった。
又、上記の先行技術文献品も取り外し可能な付属品を用いるので従来のネクタイ留めの使用とあまり変わらなかった。
本発明は以上のような欠点を無くす為にネクタイ留め機能を設けたネクタイを提供する。
【課題を解決するための手段】
【０００５】本発明に係るネクタイは、大剣部（１）の裏面に該大剣部（１）の長尺方向に対し直交方向に伸びるタグプレートで構成した小剣通し（３）を有するネクタイ留めのいらないネクタイであって、上記大剣部（１）の裏面の下端部中央、且つ、上記小剣通し（３）の下位に該大剣部（１）の長尺方向又は直交方向に伸びる小剣差込口（４）を設ける一方、ボタンホールを設けていないことを特徴とする。
本発明は以上の構成によりなるネクタイ留めを不要にするネクタイである。
つまり、ネクタイ装着後の小剣部（２）を着用しているワイシャツのボタンとボタンの隙間を縫うように通してから本発明の小剣差込口（４）に差し込むことでワイシャツのボタンを介してネクタイの大剣部（１）を固定することが出来る。
【発明の効果】
【０００６】従って、ネクタイ留めを購入する必要がなく、失う事もなくなった。そしてネクタイ留めによる繰り返し使用でのネクタイ本体の傷も生じない。
又、風が吹いても乱れず、食事中にもネクタイの先端を汚す事もなくなった。
そして、若い人の間で流行っているネクタイ留めをつけない、ぶら下げスタイル者や、又、ネクタイ留め愛用者がそれを落として失った時など、どちらとも急にネクタイ留めが必要な状況にも本発明が設けてあればその場ですぐに対応出来る。
更に、ネクタイ留め機能を設けたネクタイにもかかわらず外観もスッキリして、裏面で目立つ事もない。又、材料もテープ状の素材が１枚で済む事で安価で販売できる。又、請求項３、請求項４ではネクタイ本体を利用したので特別な素材が不要となったばかりか外観も従来のものと変わらないので高級ネクタイにも本発明が設け易くなった。
又、もし、ワイシャツのボタンと小剣差込口（４）の位置が重なってもネクタイの結び目で位置の調整が出来るので殆どの体型にも対応した。
特に制服用のネクタイを常用する学校や軍隊、そしてスーパーマーケット等の店員、更に列車やバス、タクシーの運転手達から強く切望されていた簡単なネクタイ留め機能のあるネクタイが本発明で提供される。
【図面の簡単な説明】
【０００７】
【図１】本発明の請求項２の小剣差込口（４）を示す第１実施例の図。
【図２】同、小剣差込口（４）の両端をリベットで固定したものの使用の図。
【図３】同、小剣通し（３）が無い形態を示す第２実施例の図。
【図４】同、小剣差込口（４）は両端を糸で縫って固定したものの使用の図。
【図５】同、請求項３の小剣差込口（４）は両端を糸で区切った開口形式の図。
【図６】同、小剣差込口（４）が両端を糸で区切って開口した使用の図。
【図７】同、請求項４の小剣差込口（４）は開口形式をボタンホール縫いとした図。
【図８】同、小剣差込口（４）は開口形式を直交方向にボタンホール縫いとした図。
【図９】同、請求項５の小剣差込口（４）は開口形式を軟性樹脂とした図。
【発明を実施するための形態】
【０００８】  以下、本発明を実施する為の形態にについて説明する。
大剣部（１）の裏面の下端部中央合わせ目に小剣差込口（４）を設けたことを特徴としたネクタイ留めのいらないネクタイの最良の形態が図１である。
本発明は以上のような構造であるので、これを使用する時の実施の形態を図に基づいて説明する。
【０００９】  図１は請求項２の第１実施例であり、ネクタイの大剣部（１）の裏の中央合わせ目の下端部に小剣部（２）の先端部が入出可能な差込口の狭い小剣差込口（４）を中央合わせ目に直交方向に設けてあるが、ここではタグの両側を糸で縫って固定した図である。
【００１０】  又、図２は請求項２の第１実施例であり、小剣通し（３）に通して従来通りにネクタイを結んだ後に小剣部（２）を、着用しているワイシャツの本発明の直近ボタンつまり、通常は第五ボタン上の隙間に入れてから、第五ボタン下の隙間から外に引き出して先端を細くして、ここではタグの両側を樹脂製のリベットで固定した小剣差込口（４）に差し込んで引っ張り出した図である。
【００１１】  又、図３は請求項２の第２実施例であり、ここでは従来の社名等の入ったタグプレートの小剣通し（３）をそのままの形状で差込口を狭く直して本発明として、大剣部（１）の裏の中央合わせ目の下端部にタグプレートの両側を固定した小剣差込口（４）を設けた図である。従って、小剣通し（３）は無く小剣差込口（４）のみの構成である。
【００１２】  又、図４はその使い方であって、ここではネクタイを首で結んだら小剣部（２）の先を着用しているワイシャツの通常は第二ボタンの上の隙間から内側に入れて、そのまま下に導き請求項１の第１実施例と同様に第五ボタン下から外に出して小剣差込口（４）に入れて引っ張り出した図である。
【００１３】  又、図５は請求項３のネクタイの大剣部（１）の裏の中央縫い合わせ目の下端部に上下２ヶ所を縫って仕切り、その両端の内側を開口して長尺方向に小剣差込口（４）を設けた図である。又、この仕切りのように糸を縫わずに他の素材の軟性樹脂や合成ゴムで両端を固定し開口しても良い。
【００１４】  又、図６は請求項３の図であり、請求項１と同様の方法でセットしたら小剣部（２）の先端を細くして小剣差込口（４）の開口部に差し込んで大剣部（１）裏の筒状内より引っ張り出した図である。なお、これら長尺方向での開口部は多少長めに設けた方が扱いやすい。
【００１５】  又、図７は請求項４を示す図でありここでは中央合わせ目に小剣差込口（４）の開口部をボタンホール縫いして長尺方向に設けた図である。
【００１６】  又、図８は小剣差込口（４）の上記と同じ開口部をボタンホール縫いして合わせ目に直交方向に設けた図である。
【００１７】  又、図９は請求項５を示す図であり小剣差込口（４）を中央合わせ目の長尺方向に軟性樹脂や合成ゴムを融着やプリントして開口して設けた図である。
なお、小剣差込口（４）を設ける位置の下端部とは小剣部（２）を小剣差込口（４）に通して身体を前に倒した状態になってもネクタイ先が垂れ下がらぬ支点となる位置であって、大剣部（１）の裏の中央縫い合わせ目の先端より３、４センチ上が好ましい。
又、図１で示すタグの幅は１ｃｍ前後でタグの長さは４ｃｍ位で両端とその内側に差込口が２ｃｍ位になるよう両側を縫い付けて固定しているが図２に示すタグのように樹脂製のリベットやハト目又は、高周波着けでも良く形状や固定方法は特には限定しない。
又、請求項２の素材は取扱いや機能性から伸縮性のあるテープ状の平ゴムが好ましいが、デザイン的に合成皮革や軟性樹脂プレートでも良く素材も形状も図１に示すタグのように特には限定しない。
【符号の説明】
【００１８】大剣部（１）
小剣部（２）
小剣通し（３）
小剣差込口（４）
【図１】
0006562310.tif 000002
【図２】
0006562310.tif 000003
【図３】
0006562310.tif 000004
【図４】
0006562310.tif 000005
【図５】
0006562310.tif 000006
【図６】
0006562310.tif 000007
【図７】
0006562310.tif 000008
【図８】
0006562310.tif 000009
【図９】
0006562310.tif 000010